(57)【要約】      （修正有）【課題】まつげにあてるだけで自動的にカールのあるまつげに仕上げることのできる眼部化粧容器を提供する。【解決手段】容器部品２とブラシ部品３を含み、該ブラシ部品はボディ３１を有し、ボディ内には電源供給ユニット及びモーター３３が内装され、該電源供給ユニットには順に電源スイッチ３４及び正反転制御スイッチが設けられ、該モーターに接続され、該電源供給ユニット、該電源スイッチ、該製反転制御スイッチ及び該モーター間において電子回路を形成させ、該モーターの出力軸３３１は柄部３６に接続され、柄部の末端はブラシ部３７となるように構成する。これにより、該電源スイッチ部をＯＮの状態にして、該正反転制御スイッチを操作することにより該モーターの正反転を制御することが可能となる。【選択図】図２
0003152503.tif 000002
【実用新案登録請求の範囲】
【請求項１】
開口部を有する中空の瓶を有する容器部品と、ボディ内に電源供給ユニット及びモータを内装し、該電源供給ユニットには電源スイッチ及び正反転制御スイッチが後続する該モータに接続して設けられ、該電源供給ユニット、該電源スイッチ、該正反転制御スイッチ及び該モータ間に電子回路が形成され、該モータの出力軸が柄部に接続され、柄部の末端がブラシ部となっているボディを有するブラシ部品を含む眼部化粧品容器。
【考案の詳細な説明】
【技術分野】
【０００１】  本創作は眼部化粧品容器に関するものであり、特に内部に正反転可能なモーターを設け、スイッチによってモーターの正反転を操作することにより、使用者が使用時にブラシ部をまつ毛にあてるだけで、回転方式により自動でまつ毛のカールの方向に沿ってマスカラをまつ毛上に付着させることが可能であり、よって操作が簡便な眼部化粧品容器の刷新的設計を目指す。
【背景技術】
【０００２】現在市場において一般的に見られる眼部化粧品容器である。該既存の眼部化粧品容器は主に容器部品及びブラシ部品を含み、該ブラシ部品はボディを有し、該ボディは柄部に接続され、該柄部の末端がブラシである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】使用者は使用時に該ブラシ部品のボディを握って持ち、そのブラシ部をまつ毛にあて、次にまつ毛のカールの方向に沿って手首を回して動かし、従来ブラシ部上に付着しているマスカラをまつ毛上に塗布させ、まつ毛の化粧という動作を完成させる。
しかしながら、この既存の眼部化粧品容器を実際に使用する時、手首の回転を利用しなければ、まつげのカールの方向に沿ってまつげにマスカラを塗布させ、さらにこれによりまつげをカールさせることはできない。但し、このまつげのカールの方向に沿って手首を回転して動かすという操作方法は、化粧の初心者または手の動きが良くない、動きに不便のある使用者にとっては、美しいカールのまつげを完成させるための操作・制御が難しく、化粧全体にも影響を及ぼす可能性がある。
よって、まつげにあてるだけで自動的にカールのあるまつげに仕上げることのできる眼部化粧容器の設計が可能となれば、上記使用者の使用時の困難を改善し、該眼部化粧品容器の効果を向上させることができるのである。
【課題を解決するための手段】
【０００６】本創作の主な目的は、眼部化粧品容器を提供する事であり、該眼部化粧品容器は内部に正反転可能なモーターを設けており、スイッチによりモーターの正反転のタイミングを操作することにより、使用者が使用するときはブラシ部をまつげにあてるだけで、回転方式により自動的にまつげのカールの方向に沿ってマスカラをまつげ上に塗布することができ、操作が簡便な眼部化粧品容器構造となっている。
上記の目的を実現する為に、本創作の眼部化粧品容器には、容器部品とブラシ部品が含まれ、該ブラシ部品はボディを有し、ボディ内には電源供給ユニット及びモーターが内装され、該電源供給ユニットには順に電源スイッチ及び正反転制御スイッチが設けられ後続する該モーターに接続され、該電源供給ユニット、該電源スイッチ、該製反転制御スイッチ及び該モーター間において電子回路を形成させ、該モーターの出力軸は柄部に接続され、柄部の末端はブラシ部である。
これにより、該電源スイッチ部をＯＮの状態にして、該正反転制御スイッチを操作することにより該モーターの正反転を制御することが可能となり、さらに該ブラシ部の正反転を導き、使用者による眼部の化粧を便利にするものである。
【考案の効果】
【０００７】この既存の眼部化粧品容器を実際に使用する時、手首の回転を利用しなければ、まつげのカールの方向に沿ってまつげにマスカラを塗布させ、さらにこれによりまつげをカールさせることはできない。但し、このまつげのカールの方向に沿って手首を回転して動かすという操作方法は、化粧の初心者または手の動きが良くない、動きに不便のある使用者にとっては、美しいカールのまつげを完成させるための操作・制御が難しく、化粧全体にも影響を及ぼす可能性がある。よって、まつげにあてるだけで自動的にカールのあるまつげに仕上げることのできる眼部化粧容器の設計が可能となれば、上記使用者の使用時の困難を改善し、該眼部化粧品容器の効果を向上させることができるのである。
【図面の簡単な説明】
【０００８】
【図１】本創作の眼部化粧品容器の制御回路の見取り図
【図２】本創作の眼部化粧品容器の立体分解図
【図３】既存の眼部化粧品容器の立体分解図
【考案を実施するための形態】
【０００９】本創作が提供する眼部化粧容器は、内部に正反転可能なモータが設けられ、かつスイッチにより正反転のタイミングを操作することができることから、使用者が使用する際は、ブラシ部をまつげにあてるだけで、ブラシ部が自動的にまつげのカールの方向に沿って回転することによりまつげにマスカラを付着させ、既存の化粧品容器を使用するときのように、まつげのカール方向に沿って手首を回転させるという付着操作方法を不要とし、よって化粧の初心者、または手の動きがよくない、動きに不便のある使用者にとっては、操作、制御の上で、いずれも容易、簡単であり、かつこれにより美しいカールのまつげを仕上げることができることが明らかである。
【実施例】
【００１０】  本創作の技術的手段、創作目的及び達成効果をより完全・明確に示すため、図を参照の上、部品符号とあわせて以下に詳細に説明する。
第一図、第二図をあわせて参照のこと。本創作の眼部化粧品容器には容器部品（２）及びブラシ部品（３）を含む。このうち、
該容器部品（２）は、中空容器（２１）を有し、さらに上部末端箇所が開口した瓶型の形状を成し、該容器部品（２）の中空容器（２１）内に液状化粧品を充填し、開口部に結合部（２２）を設け、ブラシ部品（３）を結合する。
該ブラシ部品（３）は、ボディ部（３１）を有し、該ボディ部（３１）内には電源供給ユニット（３２）及びモータ（３３）が内装され、該電源供給ユニット（３２）には順に電源スイッチ（３４）及び正反転制御スイッチ（３５）が設けられ後続する該モータ（３３）に接続され、もって該電源供給ユニット（３２）、該電源スイッチ（３４）、該正反転制御スイッチ（３５）及び該モータ（３３）間において電子回路を形成させ、さらに該モータ（３３）の出力軸（３３１）は柄部（３６）に接続され、該柄部（３６）の末端はブラシ部（３７）となっている。
このため、使用実施時には先ず該電源スイッチ（３４）を押し、該電源スイッチ（３４）をｏｎの状態にしたまま、次にどちら側のまつげに化粧を施したいかによって、同時に該正反転制御スイッチ（３５）を回転させることによりモータ（３３）の回転方向を変更し、該モータ（３３）の正回転または半回転の方向をまつげのカールの方向と合わせるようにし、このとき該ブラシ部（３７）は柄部（３６）とモータ（３３）の出力軸（３３１）と接続して設けられていることから連動し、よって使用者は該ブラシ部（３７）をまつげ部分にあてることができ、ブラシ部（３７）はモータ（３３）によって動かされ、まつげのカールの方向に沿って回転することができ、従来ブラシ部（３７）に付着していたマスカラが、まつげ上に塗布され、もって使用者が眼部の化粧を行うに便利な構造となっている。
以上の実施説明により、本創作が提供する眼部化粧容器は、内部に正反転可能なモータが設けられ、かつスイッチにより正反転のタイミングを操作することができることから、使用者が使用する際は、ブラシ部をまつげにあてるだけで、ブラシ部が自動的にまつげのカールの方向に沿って回転することによりまつげにマスカラを付着させ、既存の化粧品容器を使用するときのように、まつげのカール方向に沿って手首を回転させるという付着操作方法を不要とし、よって化粧の初心者、または手の動きがよくない、動きに不便のある使用者にとっては、操作、制御の上で、いずれも容易、簡単であり、かつこれにより美しいカールのまつげを仕上げることができることが明らかである。
【符号の説明】
【００１１】（２）容器部品          （２１）中空容器
（２２）結合部          （３）ブラシ部品
（３１）ボディ部        （３２）電源供給ユニット
（３３）モータ          （３３１）出力軸
（３４）電源スイッチ    （３５）正反転制御スイッチ
（３６）柄部            （３７）ブラシ部
〈既存〉
（１）眼部化粧品容器    （１１）容器部品
（１２）ブラシ部品      （１２１）ボディ部
（１２２）柄部          （１２３）ブラシ部
【図１】
0003152503.tif 000003
【図２】
0003152503.tif 000004
【図３】
0003152503.tif 000005